(57)【要約】  【課題】  入出庫の際に、荷役車両を運転するオペレータの負担を軽減して、荷役作業の効率を向上することが出来る移動棚を提供する。  【解決手段】  移動棚３は、複数の物品棚１を互いに近接又は離反できるよう床５上に並列に配置し、隣合う２列の物品棚１を互いに離反させた状態で、両物品棚１の間の通路２を確保する。上記通路２両側の物品棚１にレーザ発光器１１を設け、該発光器１１により、上記通路２の入り口付近の床上に、該通路２の位置を示すライン状の光点６を形成する。オペレータは、この光点によって自分の車両の位置又は姿勢を確認しつつ、上記通路に進入する。  【選択図】  図２
2006027737.tif 000002
【特許請求の範囲】
【請求項１】
複数の物品棚を互いに近接又は離反できるよう床上に移動可能に並置し、隣合う２列の物品棚を互いに離反させて該２列の物品棚の間に荷役車両のための通路を形成する移動棚であって、上記物品棚にレーザ発光器を設け、該発光器により、上記通路の入り口付近の床上に、該通路の位置を示すライン状の光点を形成することを特徴とする移動棚。
【請求項２】
前記発光器が前記物品棚の移動方向の端部に配設され、該発光器により、前記通路の入り口付近の床上に、該通路の幅位置を示すライン状の光点を該通路の延長線上に形成することを特徴とする請求項１に記載の移動棚。
【請求項３】
前記発光器が前記物品棚の移動方向の両端部に配設され、該発光器により、前記通路の入り口付近の床上に、該通路の幅を示すライン状の光点を該通路の延長線上に２条形成することを特徴とする請求項１に記載の移動棚。
【請求項４】
前記物品棚の移動を制御すると共に前記発光器の点灯を制御する制御装置を備え、該制御装置は、上記物品棚の移動により前記通路が形成された際、該通路の両側又は片側に前記光点を形成するよう、上記発光器を点灯させることを特徴とする請求項２又は３に記載の移動棚。
【発明の詳細な説明】
【技術分野】
【０００１】
本発明は、物品を収納した複数の物品棚を、互いに近接又は離反できるよう床上に移動可能に並置した移動棚の改良に関する。
【背景技術】
【０００２】
上記移動棚は、隣合う２列の物品棚を互いに離反させることにより、該２列の棚の間にフォークリフト等の荷役車両のための通路を形成し、荷役車両はこの通路内に進入して物品の入出庫を行う。上記通路は、荷役車両からの要求に応じて必要な部分に形成される。即ち、入出庫すべき物品の存在する棚の横を通路として開放するよう、その両側又は片側の棚が移動する。従って荷役車両のオペレータは棚の移動を視認することにより、通路がどの位置に形成されるかを確認又は予測しつつ、開放された通路に向けて車両を運転操作する。
【０００３】
下記の特許文献にはこのような移動棚の例が記載されており、この文献の発明では、車両が進入すべき通路部分にのみ照明灯が点灯されるようになっている。従って、オペレータはこの照明灯の点灯した通路位置に向けて車両を走行させれば良いので、照明のための電力の節減になることは勿論、通路位置の確認も容易に行えるといった利点がある。
【特許文献１】実開昭５８−５２７１６号公報
【発明の開示】
【発明が解決しようとする課題】
【０００４】
しかしながら、上記通路の幅は移動棚のスペース効率を向上させるため、必要最小限に抑えられており、従って車両をその幅内に確実に進入させることは容易ではない。誤って両側又は片側の棚に車両を接触させれば、棚あるいはそれに収納された物品の損傷を招く結果となり、慎重な運転操作を必要とする。慣れたオペレータであれば、身に付いた車幅と通路幅の感覚によって、即ち長年の経験と勘とに基づいて問題なく運転可能であるが、未熟な者にとっては相当に困難な作業とならざるを得ず、また作業効率も悪くならざるを得ない。
【０００５】
本発明の目的は、荷役車両によって移動棚に物品を入出庫するオペレータの負担を軽減して、荷役作業の効率を向上できる移動棚を提供することにある。
【課題を解決するための手段】
【０００６】
第１の発明は、複数の物品棚を互いに近接又は離反できるよう床上に移動可能に並置し、隣合う２列の物品棚を互いに離反させて該２列の物品棚の間に荷役車両のための通路を形成する移動棚であって、上記物品棚にレーザ発光器を設け、該発光器により、上記通路の入り口付近の床上に、該通路の位置を示すライン状の光点を形成することを特徴としている。
【０００７】
また第２の発明は、上記第１の発明において、前記発光器が前記物品棚の移動方向の端部に配設され、該発光器により、前記通路の入り口付近の床上に、該通路の幅位置を示すライン状の光点を該通路の延長線上に形成することを特徴としている。
【０００８】
また第３の発明は、上記第１の発明において、前記発光器が前記物品棚の移動方向の両端部に配設され、該発光器により、前記通路の入り口付近の床上に、該通路の幅を示すライン状の光点を該通路の延長線上に２条形成することを特徴としている。
【０００９】
更に第４の発明は、上記第２又は第３の発明において、前記物品棚の移動を制御すると共に前記発光器の点灯を制御する制御装置を備え、該制御装置は、上記物品棚の移動により前記通路が形成された際、該通路の両側又は片側に前記光点を形成するよう、上記発光器を点灯させることを特徴としている。
【発明の効果】
【００１０】
上記第１の発明によれば、荷役車両を運転するオペレータは、荷役車両の車体と上記の床上に投影された光点とを対照させることにより、荷役車両の姿勢又はその進行方向が通路に対して真っ直ぐであるか否か、また通路の位置に対して荷役車両の位置が外れているか否かを、一見して判断することができるので、上記通路への車両の進入を正確容易に行うことが出来る。
【００１１】
また、上記第２の発明によれば、ライン状の上記光点が通路の延長線上に形成されるので、荷役車両の外側面と上記ライン状光点とを一致又は平行させて運転することにより、上記通路への車両の進入を正確容易に行うことが出来る。
【００１２】
また、上記第３の発明によれば、ライン状の上記光点が通路の両幅位置の延長線上に２条形成されるので、荷役車両がこのライン状光点の間に入るように運転することにより、上記通路への車両の進入を更に正確容易に行うことが出来る。
【００１３】
更に上記第４の発明によれば、上記ライン状光点は、棚の移動に伴って次々と形成される通路の両側又は片側に自動的に形成されるので、各通路への車両の誘導を極めて効率的に行い得る。
【発明を実施するための最良の形態】
【００１４】
本発明の実施の形態を図面に基づき説明する。図１（ａ）及び図１（ｂ）において、移動棚３は、各種の物品を収納した複数の物品棚１を互いに前後方向（矢印Ｗ方向）に近接又は離反できるよう、床５上に並列に配置してなる。隣合う２列の物品棚１を互いに離反させた状態とすることにより、この２列の物品棚１の間に荷役車両が進入するための通路２が形成される。
【００１５】
図１（ｂ）に示すように、荷役車両に搭乗したオペレータは、携帯可能な遠隔操作手段Ｒを用いて、入出庫したい物品を示す情報を移動棚３に対し送信する。移動棚３には上記した各物品棚１の開閉即ち移動・停止を制御する制御装置４が設置されており、該制御装置４が上記情報を受信し、オペレ−タが入出庫したい物品が収納されたあるいは収納すべき棚１を割り出し、該棚１からの物品の入出庫が可能となるよう、該棚１の側面が開放されるように各棚１を移動させる。これにより該棚１の前に所定幅の通路２が形成され、荷役車両の進入・入出庫が可能な状態となる。
【００１６】
図１及び図２に示すように、本移動棚３においては、それを構成する各物品棚１の移動方向（矢印Ｗ方向）における両側に、即ち通路２の前後両側に位置する部分において、しかも荷役車両７が進入する（矢印Ｘで示す方向に進入する）側の部分において、所定の色のレーザ光線を照射できるレーザ発光器１１を設けてある。図１では、作図の都合上、左端の通路２の両側にのみレーザ発光器１１を記載してあるが、その他のどの位置に通路２が形成されても、その両側にレーザ発光器１１が位置するよう、各棚１の全てに該発光器１１を設けてある。
【００１７】
各レーザ発光器１１は各棚１の直角コーナ部１２の所定高さ位置に配設され、平面視において棚１の移動方向（矢印Ｗ方向）に直角に、荷役車両７が進入する側の床上にレーザ光を照射する。このレーザ光は、符号６で示すように、床上に所定長さのライン状の光点を形成するものであり、従って通路２両側の２つの発光器１１は、このような平行の光点６を形成できるよう、それぞれ斜め下方に向けて配設され、かつライン状の光線を発し得る構成となっている。なお、ライン状の光線を発するレーザ発光器は既に公知であるため、その構成については説明を省略する。
【００１８】
また上記２つのレーザ発光器１１は、上記したように、その光を棚１の直角コーナ部１２から、平面視において棚１の移動方向に対し直角に照射するため、これにより床上に形成される光点は上記通路２の延長線上に、即ち該通路２の幅に略等しい間隔を有し、該幅の両側位置に対応する２条のラインを描くものとなる。
【００１９】
上記したレーザ発光器１１の点灯は、各棚１が移動して新たな通路２が形成されるたびに、前記制御装置４で制御されることによって行われる。図１では最左端に通路２が形成されているが、オペレータからの要求によって最右端に通路を形成する必要が生じた場合、制御装置４は元の最左端の通路２両側のレーザ発光器１１を消灯させると共に、各棚１をそれぞれ移動制御して最右端に新たな通路２を形成し、同時にこの新たな通路２の両側のレーザ発光器１１を点灯させる。こうして、制御装置４はオペレータからの要求に応じて入出庫のために必要な通路２を順次形成すると共に、その通路２の両側に該通路２の幅に等しい間隔のライン状光点６を次々と形成する。
【００２０】
オペレータはこのライン状光点６を視認することによって自分が進入すべき通路を容易に確認することができる。また図３に示すように、自分が運転している車両７をこの２条のライン状光点６の間に位置させることにより、その車両７を通路両側の棚１，１の間に位置させることが出来る。従って、棚１，１間に進入する前に、車両７を該棚１，１と干渉しない位置又は姿勢に設定することが出来るので、棚１との接触事故を未然に防止でき、また効率の良い入出庫作業が可能となる。
【００２１】
上記光点６の色はこれを赤色としたが、オペレータが視認容易な色であれば何でも良く、床面の色に応じて適宜選択すれば良い。また光点６の長さは、レーザ発光器の取付け角度を調整することにより、オペレータが車両の位置・姿勢を整えるうえで必要な適当な長さに設定することが出来る。更に光点６は必ずしも連続した線分として形成される必要はなく、複数のスポット状の光点を一列に並べてライン状に見えるようにしたものであっても良い。
【００２２】
また上記した実施の形態では、２つのレーザ発光器１１，１１を点灯させて光点６を通路２の両側に形成するようにしたが、何れか一方のレーザ発光器１１のみを点灯させて光点６を通路２の片側に形成するようにしても良い。この場合、オペレータはこの１条のライン状光点６を視認して、該光点６に自分の車両７の外側面を一致させるように運転操作することにより、上記した２条の光点６の場合と同じく、車両７を通路２内に確実に導くことが出来る。
【００２３】
更に上記光点６は、何れか一方のレーザ発光器１１のみを点灯させ、図３に１点鎖線ｃで示すように、通路６の中央に１条のみ形成するようにすることも出来る。この場合、オペレータはこの１条のライン状光点ｃを視認して、該光点ｃに自分の車両７の左右中心線を一致させるように運転操作することにより、上記した２条あるいは１条の光点６の場合と同じく、車両７を通路２内に確実に導くことが出来る。なお、通路６の中央にライン状光点ｃを形成することは、上記レーザ発光器１１を棚１の移動方向（Ｗ方向）に必要角度傾斜させることにより、容易に行える。
【図面の簡単な説明】
【００２４】
【図１】（ａ）は本発明に係る移動棚の斜視図、（ｂ）はその側面図。
【図２】本発明に係る移動棚の要部の斜視図。
【図３】本発明に係る移動棚の作用を説明するための平面図。
【符号の説明】
【００２５】
１：物品棚
２：進入路
３：移動棚
４：制御装置
５：床
６：光点
７：荷役車両
ｃ：中心線（光点）
【図１】
2006027737.tif 000003
【図２】
2006027737.tif 000004
【図３】
2006027737.tif 000005